(57)【特許請求の範囲】
【請求項１】
扉、戸袋を備えてなるホーム安全柵を設置される鉄道の駅のホームに、前記ホーム安全柵の前記戸袋と一体の又は前記戸袋に連設されるボックス内に組み込まれて設置されるホーム安全柵組み込み式監視台装置であって、
前記ボックス内に形成され、前記ボックスのホーム側に向けられる面の下部側に開口を有する監視台収納スペースと、
前記開口に開閉可能に配設される扉と、
前記監視台収納スペースの下部側にホームの高さよりも高い位置を回動支点にして、前記監視台収納スペース内で略垂直に起立される監視台収納位置とホーム上に略水平に倒伏される監視台引出位置との間を回動可能に取り付けられる監視台と、
前記監視台を前記監視台引出位置に固定するストッパーと、
一端が前記監視台収納スペースの下部側に取り付けられ、他端が前記監視台に取り付けられて、前記監視台を常態として前記監視台収納スペース内の前記監視台収納位置に向けて押圧付勢するダンパー装置と、
を備え、
前記ボックスの前記開口の前記扉を開けて、前記監視台をホーム側に倒し、前記監視台に監視者が乗ることで前記監視台はホーム上で略水平に保持され、
監視者が前記監視台から降りることにより、前記監視台は前記ダンパー装置により前記監視台収納スペース内に戻され、前記開口の前記扉を閉めることで外部から見えることなく収納される、
ことを特徴とするホーム安全柵組み込み式監視台装置。
【請求項２】
扉は開口の内側にガイド部材を介して上下方向にスライド可能に取り付けられ、監視台収納スペース内に設置されたバランサにより支持されて、上下方向任意のスライド位置で停止可能に構成される請求項１に記載のホーム安全柵組み込み式監視台装置。
【請求項３】
監視台は剛性を有する材料により略平板状に形成される請求項１又は２に記載のホーム安全柵組み込み式監視台装置。
【請求項４】
ストッパーは、監視台の回動側端部の下部に回動可能に取り付けられ、前記監視台の下部で当該監視台に対し略垂直に立てられて、前記監視台をホームに対して略水平で所定の高さに支持する支柱と、一端が監視台収納スペースに監視台の回動支点に近接して回動可能に取り付けられ、他端が前記支柱に回動可能に取り付けられて、前記監視台の下部で略垂直の状態の前記支柱を保持するステーとからなる請求項１乃至３のいずれかに記載のホーム安全柵組み込み式監視台装置。
【請求項５】
ダンパー装置は、ガスダンパー、オイルダンパー又はこれらの組み合わせにより構成される請求項１乃至４のいずれかに記載のホーム安全柵組み込み式監視台装置。
【請求項６】
ボックス下部の開口の扉を開ける動作に連動して、本装置が使用時の状態にあることを表示し、前記開口の扉を閉める動作に連動して、本装置が不使用時の状態にあることを表示するインジケータを併せて備える請求項１乃至５のいずれかに記載のホーム安全柵組み込み式監視台装置。
【請求項７】
ボックス下部の開口を閉める扉を施錠するためのシリンダー錠式のロック装置を併せて備える請求項１乃至６のいずれかに記載のホーム安全柵組み込み式監視台装置。
【発明の詳細な説明】
【技術分野】
【０００１】
本発明は、鉄道の駅ホームに設置されるホーム安全柵に一体的にかつ収納可能に組み込み、駅ホームを見渡し乗客の安全を確認するのに使用するホーム安全柵組み込み式監視台装置に関する。
【背景技術】
【０００２】
一般に、鉄道の駅のプラットホームでは、ホームの線路側に白線を付けて、乗客に線路側に近寄らないように注意を喚起したり、ホームの適宜箇所に黄色の線や文字などを付けて、乗客を安全に誘導したり、また、ホーム上の駅係り員による巡回を増加させたり、ホームに置かれた踏み台に乗ってホームを広く監視したりして、安全の強化に努めている。
ところが、このような対策を講じてみても、ホーム上の乗客の線路への転落事故や車両との接触事故が跡を絶たない。そこで、近年は、線路への転落や車両との接触を防止するために、所謂ホーム安全柵が多くの鉄道の駅で採用され、ホームの線路側の縁部に沿って設置されている。
この種のホーム柵Ｇは、一般に、図７に示すように、車両の乗降ドアの位置で横開き式に開閉される扉Ｄと、扉Ｄの開放時に扉Ｄが収納される戸袋Ｃと、戸袋Ｃと一体のボックス内に設置され、扉Ｄの開閉動作を制御するドア制御装置（図示省略）とを備えて構成され、扉Ｄが車両への乗客の乗降に合わせて開閉されるようになっている。このホーム柵Ｇにより、ホームＦと線路Ｒとの間が遮断され、ホームＦにいる乗客の線路Ｒへの転落事故や車両との接触事故を防止することができる。このホーム安全柵にはさまざまなタイプがあり、その一例が特許文献１などにより開示されている。
【先行技術文献】
【特許文献】
【０００３】
【特許文献１】特開２００３−８１０８３
【発明の概要】
【発明が解決しようとする課題】
【０００４】
このように鉄道の駅のホームにホーム安全柵が設置されることで、ホームにいる乗客の線路への転落や車両との接触を防止する効果は大きく高められるが、それでもなお、特にホームの混雑時は、ホームにいる乗客の安全を確保する必要から、駅係り員による踏み台上でのホームの監視は欠くことができない。
この監視は、周知のとおり、踏み台をホームを広く見渡すことのできる定位置に置き、駅係り員（監視者）が踏み台の上に乗って、ホームの一段高いところで行っている。
【０００５】
しかしながら、この監視に用いる踏み台にも、次のような問題がある。
（１）踏み台は一般に、木製の四角錐台形の箱からなり、それも人が乗るので、安定性をよくするために、比較的大きなものになっている。この踏み台は、間断なく使用されるものではないものの、ホームの監視が必要の際に即時使用できるように、ホーム上に常に置いておく必要があり、不使用時でもホーム外にしまい込むことができない。このため、踏み台の不使用時は、この大きな箱をホーム上に置かざるを得ず、ホーム安全柵の設置により狭くなったホーム上で邪魔になることがある。
（２）踏み台は、監視の際に、ホームを広く見渡すことのできる定位置に置くが、この定位置も乗客の通行するところとなるから、踏み台の不使用時は、乗客の通行の邪魔にならないように、踏み台をホーム上の例えば柱や壁の陰に移動することがあり、このため、踏み台の使用毎に、踏み台を定位置に置き、不使用時はまた邪魔にならない場所に移動するので、この作業が煩雑で、効率が悪い。
【０００６】
本発明は、このような従来の問題を解決するもので、鉄道の駅のホームに設置されたホーム安全柵を利用して、ホームから一段高いところに監視台を設け、その一段高い位置からホームを広く見渡して監視することができ、また、監視台を使用しないときはこれを乗客の通行の邪魔になることなく収納することのできるホーム安全柵組み込み式監視台装置を提供すること、を目的とする。
【課題を解決するための手段】
【０００７】
上記目的を達成するために、本発明は、扉、戸袋を備えてなるホーム安全柵を設置される鉄道の駅のホームに、前記ホーム安全柵の前記戸袋と一体の又は前記戸袋に連設されるボックス内に組み込まれて設置されるホーム安全柵組み込み式監視台装置であって、前記ボックス内に形成され、前記ボックスのホーム側に向けられる面の下部側に開口を有する監視台収納スペースと、前記開口に開閉可能に配設される扉と、前記監視台収納スペースの下部側にホームの高さよりも高い位置を回動支点にして、前記監視台収納スペース内で略垂直に起立される監視台収納位置とホーム上に略水平に倒伏される監視台引出位置との間を回動可能に取り付けられる監視台と、前記監視台を前記監視台引出位置に固定するストッパーと、一端が前記監視台収納スペースの下部側に取り付けられ、他端が前記監視台に取り付けられて、前記監視台を常態として前記監視台収納スペース内の前記監視台収納位置に向けて押圧付勢するダンパー装置とを備え、前記ボックスの前記開口の前記扉を開けて、前記監視台をホーム側に倒し、前記監視台に監視者が乗ることで前記監視台はホーム上で略水平に保持され、監視者が前記監視台から降りることにより、前記監視台は前記ダンパー装置により前記監視台収納スペース内に戻され、前記開口の前記扉を閉めることで外部から見えることなく収納される、ことを要旨とする。
また、この監視台装置は、各部が次のように構成されることが好ましい。
（１）扉は開口の内側にガイド部材を介して上下方向にスライド可能に取り付けられ、監視台収納スペース内に設置されたバランサにより支持されて、上下方向任意のスライド位置で停止可能に構成される。
（２）監視台は剛性を有する材料により略平板状に形成される。
（３）ストッパーは、監視台の回動側端部の下部に回動可能に取り付けられ、前記監視台の下部で当該監視台に対し略垂直に立てられて、前記監視台をホームに対して略水平で所定の高さに支持する支柱と、一端が監視台収納スペースに監視台の回動支点に近接して回動可能に取り付けられ、他端が前記支柱に回動可能に取り付けられて、前記監視台の下部で略垂直の状態の前記支柱を保持するステーとからなる。
（４）ダンパー装置は、ガスダンパー、オイルダンパー又はこれらの組み合わせにより構成される。
（５）ボックス下部の開口の扉を開ける動作に連動して、本装置が使用時の状態にあることを表示し、前記開口の扉を閉める動作に連動して、本装置が不使用時の状態にあることを表示するインジケータを併せて備える。
（６）ボックス下部の開口を閉める扉を施錠するためのシリンダー錠式のロック装置を併せて備える。
【発明の効果】
【０００８】
本発明のホーム安全柵組み込み式監視台装置によれば、上記の構成により、ボックスの開口の扉を開けて、監視台をホーム側に倒し、監視台に監視者が乗ることで監視台はホーム上で略水平に保持され、監視者が監視台から降りることにより、監視台はダンパー装置により監視台収納スペース内に戻され、開口の扉を閉めることで外部から見えることなく収納されるので、鉄道の駅のホームに設置されたホーム安全柵を利用して、ホームから一段高いところに監視台を設け、その一段高い位置からホームを広く見渡して監視することができ、また、監視台を使用しないときはこれを乗客の通行の邪魔になることなく収納することができる、という本発明独自の格別な効果を奏する。
【図面の簡単な説明】
【０００９】
【図１】本発明の一実施の形態におけるホーム安全柵組み込み式監視台装置のイメージを示す図
【図２】同監視台装置の構成を示す図（（ａ）は正面断面図（ｂ）は側面断面図）
【図３】同監視台装置の使用例を示す図（本装置の不使用時の状態（監視台を収納し扉を閉めた状態）を示す正面断面図）
【図４】同監視台装置の使用例を示す図（（ａ）は本装置の使用時の状態（扉を開けた状態）を示す正面断面図（ｂ）は同側面断面図）
【図５】同監視台装置の使用例を示す図（本装置の使用時の状態（扉を開け、監視台を引き出した状態）を示す側面断面図）
【図６】本発明の別の実施の形態におけるホーム安全柵組み込み式監視台装置のイメージを示す図
【図７】一般の駅ホームに設置されたホーム安全柵のイメージを示す図
【発明を実施するための形態】
【００１０】
次に、本発明の一実施の形態について図を用いて説明する。
図１、図２にホーム安全柵組み込み式監視台装置を示している。
図１、図２に示すように、ホーム安全柵組み込み式監視台装置Ｍ（以下、単に監視台装置Ｍ又は本装置Ｍという。）は扉Ｄ、戸袋Ｃを備えてなるホーム安全柵Ｇを設置される鉄道の駅のホームＦに、ホーム安全柵Ｇの戸袋Ｃと一体のボックスＢ内に組み込まれて設置されるもので、ボックスＢ内に形成され、ボックスＢのホームＦ側に向けられる面ｂ１（以下、ボックスＢの正面板ｂ１という。）の下部側に開口ｂ０（以下、ボックスＢの下部開口ｂ０という。）を有する監視台収納スペースＳと、ボックスＢの下部開口ｂ０に開閉可能に配設される扉１と、監視台収納スペースＳの下部側にホームＦの高さよりも高い位置を回動支点Ｐ０にして、監視台収納スペースＳ内で略垂直に起立される監視台収納位置Ｐ１とホームＦ上に略水平に倒伏される監視台引出位置Ｐ２（図５参照）との間を回動可能に取り付けられる監視台２と、監視台２を監視台引出位置Ｐ２に固定するストッパー３と、一端が監視台収納スペースＳの下部側に取り付けられ、他端が監視台２に取り付けられて、監視台２を常態として監視台収納スペースＳ内の監視台収納位置Ｐ１に向けて押圧付勢するダンパー装置４とを備える。
また、この監視台装置Ｍは、本装置Ｍが使用時の状態又は不使用時の状態を表示するためのインジケータ５と、ボックスＢ下部の開口ｂ０を閉じた扉１を施錠するためのシリンダー錠式のロック装置６とを併せて備える。
【００１１】
なお、この場合、ホーム安全柵Ｇは、既述のとおり、車両の乗降ドアの位置で横開き式に開閉される扉Ｄと、扉Ｄの開放時に扉Ｄが収納される戸袋Ｃと、戸袋Ｃと一体のボックスＢ内に設置され、扉Ｄの開閉動作を制御するドア制御装置（図示省略）とを備えて構成され、扉Ｄが車両への乗客の乗降に合わせて開閉されるようになっている。
【００１２】
監視台収納スペースＳは、戸袋Ｄと一体のボックスＢ内でドア制御装置とは異なる位置に画成され、一連の下部スペースＳ１と上部スペースＳ２とからなり、上下部各スペースＳ１，Ｓ２共略同じ大きさを有している。また、ボックスＢ下部の開口ｂ０は下部スペースＳ１に対応するボックスＢの正面板ｂ１の下部側半面に形成され、下部スペースＳ１に連通される。なお、この開口ｂ０は後述する監視台２の平面の大きさよりも少し大きい縦長の四角形に形成される。
【００１３】
扉１はボックスＢの下部開口ｂ０の内側に監視台収納スペースＳ内に設置されたガイド部材１１を介して上下方向にスライド可能に取り付けられ、監視台収納スペースＳ内に設置されたバランサ１６により支持されて、上下方向任意のスライド位置（開位置）で停止可能に構成される。
扉１はステンレス鋼によりボックスＢの下部開口ｂ０よりも少し大きい縦長の四角形の略平板状に形成され、上面中央にマグネット１１６のためのマグネット受け１２、左右両側面の上部及び下部にそれぞれガイド部材１１の一部をなすスライドガイド１３、一方の側面、この場合、右側面の上下方向中間にワイヤ接続部１４、正面の下部中央に取っ手１５がそれぞれ設けられる。この場合、マグネット受け１２は鋼材により略ハット形に形成され、扉１の上面にねじにより取り付けられる。各スライドガイド１３はプラスチックにより上下に長い略直方体状に形成され、扉１の左右両側面の上下各部にねじにより取り付けられる。ワイヤ接続部１４はステンレス鋼により略三角形の略平板状に形成され、先端にワイヤ接続ボルトが取り付けられ、扉１の右側面で上部のスライドガイド１３の直下に尖端が背面方向に突出されてねじにより固定される。取っ手１５はステンレス鋼により形成され、正面に開口を有する横に長いケース状で開口周囲にフランジを有し、扉１の正面の下部中央に横に長い取付孔が穿たれてこの取付孔に埋め込まれて、ねじにより固定される。
ガイド部材１１は、既述の扉１両側面のスライドガイド１３と、監視台収納スペースＳ内に立ち上げ設置される左右一対のガイドレール１１１とからなり、この一対のガイドレール１１１はこの監視台装置Ｍの各部を組み立てるためのアッシーフレーム１０の一部に構成される。
このアッシーフレーム１０は、縦に長い左右のサイドフレーム１１２及びこれらのサイドフレーム１１２の内面上に重ねて設けられるスライドレール１１３からなる左右一対のガイドレール１１１と、これらのガイドレール１１１の上部間に架け渡し固定される横に長いトッププレート１１４と、これらのガイドレール１１１の後部下部間に架け渡し固定される横に長いアンダーフレーム１１５とからなり、これらが監視台収納スペースＳ内に組み立て設置され、このアッシーフレーム１０にマグネット１１６、監視台受け１１７、監視台２など他の部材が取り付けられる。
この場合、左右の各ガイドレール１１１は、各サイドフレーム１１２が鋼材により縦に長く横断面略コ字形に形成されて、正面に向けられる前面部、側方に向けられる側面部及び背面に向けられる後面部を有し、各スライドレール１１３が鋼材により縦に長く横断面略Ｌ字形に形成されて、各サイドフレーム１１２の側面部に向けて固定される固定部及び、固定部から直角に立ち上げられる立ち上がり部を有し、各サイドフレーム１１２の側面部内面上に各スライドレール１１３の固定部が重ね合わされて固定され、各サイドフレーム１１２の前面部に対して各スライドレール１１３の立ち上がり部が平行に配置されて、各サイドフレーム１１２の前面部と各スライドレール１１３の立ち上がり部との間に溝形のレール部１１０が形成される。これら左右の各ガイドレール１１１は、監視台収納スペースＳ内でボックスＢの下部開口ｂ０の左右両側に立ち上げ設置され、左右の溝形のレール部１１０が開口ｂ０の左右両側近傍でボックスＢの正面板ｂ１の内面に沿って下部スペースＳ１から上部スペースＳ２まで延ばされる。トッププレート１１４は鋼材により横に長い四角形の平板状に形成され、左右の各サイドフレーム１１２の上部間に架け渡され、ねじにより固定される。このトッププレート１１４は監視台収納スペースＳ内でボックスＢの上面の直下に配置される。アンダーフレーム１１５は鋼材により横に長い略直方体状に形成され、その左右両端が各サイドフレーム１１２の側面部の下部後部側にねじにより固定されて、各サイドフレーム１１２の側面部の下部間に架け渡し固定される。このアンダーフレーム１１５は監視台収納スペースＳ内でボックスＢの下部開口ｂ０の下縁部に対して直上位置に配置され、アンダーフレーム１１５の正面部がボックスＢの下部開口ｂ０に向けられる。そして、トッププレート１１４の下面にマグネット１１６が取り付けられ、左右のサイドフレーム１１２の上下方向略中間部にそれぞれ監視台受け１１７が対にして取り付けられる。この場合、マグネット１１６は汎用品が採用され、トッププレート１１４の下面の前部中央にマグネット１１６の吸着面を下方に向けてねじにより取り付けられる。監視台受け１１７はそれぞれ、鋼材により横に長く横断面略クランク形状（Ｌを２つ続けた形状）に形成されて、一端側のＬ字形状の部分が左右のサイドフレーム１１２の上下方向略中間部の側面部後部と後面部に跨って固定され、他端側の部分が左右のサイドフレーム１１２の後面部から後方でかつ内方に向けて略Ｌ字形に突出される。なお、各監視台受け１１７の他端側で正面に向けられる面にクッション材１１８が貼り付けられる。さらに、アンダーフレーム１１５には監視台２他各種の部材が取り付けられる。監視台２他各種の部材については後述する。
バランサ１６は汎用品が採用され、ゼンマイケース内に収納されるゼンマイばね、ゼンマイばねに軸着される巻取りドラム、巻取りドラムに巻き付けられるワイヤ、ゼンマイばねの弾性力を調整するためのラチェット機構などからなる。このバランサ１６は、一方のサイドフレーム１１２、この場合、右側のサイドフレーム１１２の上部にねじにより取り付けられ、このバランサ１６からワイヤ１６１が右のガイドレール１１１の溝形のレール部１１０に沿って垂下される。
しかして扉１は、監視台収納スペースＳ内で左右のガイドレール１１１の溝形のレール部１１０間に嵌め込まれ、右サイドフレーム１１２の上部に取り付けられたバランサ１６のワイヤ１６１が扉１の右側面に設けられたワイヤ接続部１４に接続されて、左右のガイドレール１１１上を上下方向に、すなわちボックスＢの下部開口ｂ０を閉じる閉位置とボックスＢの下部開口ｂ０を開く開位置との間をスライド可能に組み付けられ、開口ｂ０が開閉可能になっている。また、この扉１は、バランサ１６が採用されたことにより、扉１の取っ手１５を使ってわずかな力でも扉１を簡単に上下動させることができ、上下方向任意の（開）位置に停止できるようになっている。
【００１４】
監視台２は剛性を有する材料、この場合、ステンレス鋼により縦に長い四角形の略平板状に形成され、その枢支側となる後端面が監視台収納スペースＳ内で下部側にホームＦの高さよりも高い所定の高さ位置、この場合、アッシーフレーム１０のアンダーフレーム１１５の上面前部に回動支点としてヒンジ２１を介して回動可能に取り付けられる。また、この場合、監視台２の下面の左右両側で回動端側所定の位置にそれぞれ、ゴム材からなる緩衝ブロック２２が固定される。さらに、この監視台２の下面の左右両側で前後方向中間部やや前端部側にダンパー装置４のための２つの受け部２３１、２３２が突設される。またこれらの受け部２３１、２３２に対応して、アッシーフレーム１０のアンダーフレーム１１５の正面の左右両側で上下方向中間部にダンパー装置４のための２つの受け部１７１、１７２が併せて突設される。なお、このアンダーフレーム１１５の正面の左右両側でダンパー装置４のための各受け部１７１、１７２の外側に一対のステー３２のための一対の受け部１８１、１８２が併せて突設される。
【００１５】
ストッパー３は、監視台２の回動端側となる前端面の下部に回動可能に取り付けられ、監視台２の下部で監視台２に対し略垂直に立てられて、監視台２をホームＦに対して略水平で所定の高さに支持する支柱３１と、一端が監視台収納スペースＳに監視台２の回動支点に近接して回動可能に取り付けられ、他端が支柱３１に回動可能に取り付けられて、監視台２の下部で略垂直の状態の支柱３１を保持する一対のステー３２とからなる。この場合、支柱３１は、鋼材からなる角パイプにより横長の略矩形に組まれ、その上面前部が監視台２の前端面の下部にヒンジ２１を介して回動可能に取り付けられる。そして、この支柱３１の両側面で上端部側に各ステー３２の一端が軸支され、監視台収納スペースＳ内でアンダーフレーム１１５の正面の各受け部１８１、１８２に各ステー３２の他端が軸支される。しかして監視台２の下部で略垂直の状態に立てられた支柱３１により監視台２が略水平で所定の高さに支持され、監視台２と監視台収納スペースＳ内のアンダーフレーム１１５との間に介装されたステー３２により、監視台２の下部で略垂直の状態に立てられた支柱３１が保持されるようになっている。
また、この支柱３１の正面側で左右両側部間に取っ手３１１が架け渡し固定され、さらに、背面側の左右両側で上下方向中間部にそれぞれ、監視台２の下面の各緩衝ブロック２２に対応して、ゴム材からなる緩衝ブロック３３が固定される。しかして取っ手３１１を握って、支柱３１を監視台２の下部で垂直の状態に回動し、監視台２を監視台収納スペースＳから引出可能に、また反対に、支柱３１を監視台２の下部に折り畳み、監視台２を監視台収納スペースＳ内に収納可能になっており、併せて支柱３１を監視台２の下部に折り畳んだときに、監視台２下面の各緩衝ブロック２２と支柱３１の背面の各緩衝ブロック３３を衝接して、その緩衝作用により、監視台、支柱間で大きな音が発生したり相互に損傷したりするのを防止している。
【００１６】
ダンパー装置４は、ガスの反力によりピストンロッド４１１を押し出す形式のガスダンパー４１やオイルの移動抵抗によりピストンロッド４２１を進退させる形式のオイルダンパー４２、又はこれらの組み合わせにより構成される。この場合、ダンパー装置４は、汎用品のガスダンパー４１及びオイルダンパー４２が採用され、これらガスダンパー４１及びオイルダンパー４２の組み合わせにより構成される。この場合、ガスダンパー４１は、シリンダー基端部の取付部が監視台収納スペースＳ内で監視台２の下面の左右両側で前後方向中間部やや前端部側に設けられた一方の受け部２３１に軸支され、ピストンロッド先端の取付部がアッシーフレーム１０のアンダーフレーム１１５の正面の左右両側に固定された一方の受け部１７１に軸支され、同様に、オイルダンパー４２は、シリンダー基端部の取付部が監視台収納スペースＳ内で監視台２の下面の左右両側で前後方向中間部やや前端部側に設けられた他方の受け部２３２に軸支され、ピストンロッド先端の取付部がアッシーフレーム１０のアンダーフレーム１１５の正面の左右両側に固定された他方の受け部１７２に軸支されて、ガスタンパー４１、オイルダンパー４２が監視台収納スペースＳの下部アンダーフレーム１１５と監視台２との間に並列に配設される。なお、これらタンパー４１、４２の付勢力やストローク長は、監視台２などの総重量や、監視台２の監視台収納位置Ｐ１と監視台引出位置Ｐ２との間の回動距離から適宜決定され、これらダンパー４１、４２のピストンロッド４１１、４２１の延伸作用により、（監視者が乗っていないときの）監視台２を監視台引出位置Ｐ２から監視台収納位置Ｐ１まで、安全上許容される範囲のゆっくりとした回動速度で、押圧回動する。
【００１７】
また、この監視台装置Ｍは、本装置Ｍが使用時の状態又は不使用時の状態を表示するためのインジケータ５を併せて備える。
このインジケータ５は、ボックスＢの下部開口ｂ０の扉１を開ける動作に連動して、本装置Ｍが使用時の状態にあることを表示し、開口ｂ０の扉１を閉める動作に連動して、本装置Ｍが不使用時の状態にあることを表示する形式になっている。
この場合、インジケータ５は、ボックスＢの正面板ｂ１の上部側で監視台収納スペースＳ内の一方のサイドフレーム１１２の位置よりも少し外側に寄った位置に形成される開口５０と、ボックスＢの正面板ｂ１の内面側で開口５０に対応する位置に設置される溝形のインジケータガイド５１と、このインジケータガイド５１の案内によりボックスＢの正面板ｂ１の内面側で開口５０上を上下方向にスライド可能に配置され、インジケータガイド５１の上下から突出する長さを有するインジケータバー５２と、インジケータガイド５１を挟んでインジケータバー５２と並列に配置され、一端がインジケータガイド５１の下部に固定され、他端がインジケータバー５２の上部に固定されて、インジケータバー５２を弾性的に支持するコイルスプリング５３と、インジケータバー５２の上部側所定の位置に形成され、本装置Ｍが不使用時の状態を表示するための表示部５２１、及びインジケータバー５２の下部側所定の位置に形成され、本装置Ｍの使用時の状態を表示するための表示部５２２と、扉１の一方の側部、この場合、左側部で上下方向中間部に側方に突出して設けられる作動プレート５４とを有してなる。この場合、ボックスＢの正面板ｂ１の開口５０は、この正面板ｂ１の上部側で監視台収納スペースＳ内の左のサイドフレーム１１２の位置よりも少し左側に寄った位置に円形に形成される。インジケータガイド５１は鋼材により横断面ハット形に形成されて、中央に上下に延びる角形のガイド溝と、その両側から側方に張り出す平面部と、ガイド溝の下端中央から平面部とは反対方向に突出され、コイルスプリング５３を係止するための係止部とからなり、中央のガイド溝の下半部付近をボックスＢの正面板ｂ１の開口５０に対向させて両側の平面部が正面板ｂ１の内面に固定される。インジケータバー５２は鋼材によりインジケータガイド５１中央のガイド溝に嵌合可能な上下に長い板状に形成され、全長がインジケータガイド５１のガイド溝の長さよりも長く、取付時の状態で見ると、インジケータガイド５１のガイド溝内でインジケータバー５２は上端部が上方に僅かに突出され、下部側が下方に少し大きく突出される。このインジケータバー５２の上端部にはコイルスプリング５３のための係止突起が設けられる。コイルスプリング５３はインジケータガイド５１の上下の長さと略同じで、インジケータガイド５１のガイド溝とは反対側の面、すなわち、インジケータガイド５１の裏側で後方に向けて突出された面に沿って配置され、一端がインジケータガイド５１下端中央の係止部に係止され、他端がインジケータガイド５１の上部から僅かに突出されるインジケータバー５２上端部の係止突起に係止される。各表示部５２１、５２２は赤色のシールと青色のシールが用いられ、本装置Ｍが不使用時の状態を表示するための表示部５２１として赤色のシールがインジケータバー５２の上部側所定の位置に、本装置Ｍが使用時の状態を表示するための表示部５２２として青色のシールがインジケータバー５２の下部側所定の位置に、それぞれ貼り付けられる。作動プレート５４はステンレス鋼により略四角形の略平板状に形成され、扉１の左側面で上下方向中間部でやや上部側に一方の側部を側方に突出されてねじにより取り付けられる。
しかして本装置Ｍの不使用時はボックスＢの正面板ｂ１の開口５０に本装置Ｍが不使用時の状態にあることを表示する赤色のシール５２１が臨み、本装置Ｍの使用に際して、扉１を上方に向けて開動すると、監視台収納スペースＳ内で扉１が上部スペースＳ１側にせり上がり、このとき扉１の左側面の作動プレート５４がインジケータバー５２の下端に衝接し、ボックスＢの下部開口ｂ０が全開するまで扉１を上方に押し上げると、インジケータバー５２がコイルスプリング５３を伸長させながら上方に移動されて、ボックスＢの正面板ｂ１の開口５０が赤色のシール５２１から青色のシール５２２に切り替えられて本装置Ｍが使用時にあることを表示するようになっている。なお、これとは反対に、本装置Ｍの使用を止めて、扉１を閉動してボックスＢの下部開口ｂ０を閉めると、扉１が下部スペースＳ１側に下がって、扉１の左側面の作動プレート５４によるインジケータバー５２の押圧が解除され、インジケータバー５２がコイルスプリング５３の付勢力により元の位置に引き戻されて、ボックスＢの正面板ｂ１の開口５０が青色のシール５２２から赤色のシール５２１に切り替えられ、本装置Ｍが不使用時の状態にあることが表示される。
【００１８】
さらに、この監視台装置Ｍは、ボックスＢの下部開口ｂ０を閉める扉１を施錠するためのシリンダー錠式のロック装置６を併せて備える。
この場合、ロック装置６は、正面に鍵穴を有するシリンダー錠と、このシリンダー錠のロータの後端部側にロータの側方に突出して取り付けられ、ロータと一体に回動可能な止め金とからなり、ボックスＢの正面板ｂ１の上下方向中間部でボックスＢの下部開口ｂ０を閉める閉位置の扉１の上面に近接する位置、この場合、扉１の一方の上部角部（ここでは右側の上部角部）に近接する位置に取付穴６０が形成されて、この取付穴６０にシリンダー錠が鍵穴を前方に向けて取り付けられる。
しかしてシリンダー錠を鍵の操作によりロック位置に回すことにより、ロータとともに止め金が回転し、扉１の上面に係合して、扉１の上方への移動を規制し、反対にシリンダー錠を鍵の操作によりロック解除位置に回すことにより、ロータとともに止め金が回転し扉１の上面から離脱して、扉１の上方への移動規制を解除するようにしてある。
【００１９】
このようにしてこの監視台装置Ｍでは、ボックスＢの下部開口ｂ０の扉１を開いて、監視台２をホームＦ側に倒し、監視台２に監視者の駅係り員が乗ることで監視台２がホームＦ上で略水平に保持されて、ホーム監視の用に供し、駅係り員が監視台２から降りることにより、監視台２はダンパー装置４により監視台収納スペースＳ内に戻されて、アッシーフレーム１０に取り付けられた各監視台受け１１７で支持され、ボックスＢの下部開口ｂ０の扉１を閉めることで外部から見えることなく収納されるようになっている。
また、この監視台装置Ｍの不使用時の状態、使用時の状態をインジケータ５で表示し、特に、不使用時の扉１の閉め忘れを防止している。
さらに、この監視台装置Ｍの不使用時は、ボックスＢの下部開口ｂ０を閉じた扉１をロック装置６により施錠することで、第３者による不正使用を防止し安全の確保を図っている。
なお、この監視台装置Ｍのホーム安全柵Ｇへの組み込み設置に伴い、ボックスＢの上面につかまりバー（取っ手）を併せて取り付けてもよい。このつかまりバーは、特に図示していないが、適宜の長さを有する金属製のシャフトからなり、両端がブラケットにより支持されて、ボックスＢの上面に取り付けられる。このつかまりバーにより駅係り員による監視台２への乗り降りを容易とし、また、駅係り員がこのつかまりバーにつかまることによって監視台２上に安定して立つことができる。
【００２０】
図３乃至５にこの監視台装置Ｍの使用例を例示している。
図３は駅ホームＦでの監視台装置Ｍの不使用時の状態を示している。
図３に示すように、この不使用時の状態では、通常、監視台２はボックスＢ内に収納され、ボックスＢの下部開口ｂ０は扉１で閉められており、監視台２は外部から見えない。ボックスＢの正面板ｂ１のインジケータ５は赤（赤色のシール５２１）が表示されていて、監視台装置Ｍが不使用時の状態にあることを確認することができる。このようにしてホームＦには特に邪魔になるものがなく、乗客のホームＦの通行に何ら支障がない。また、この場合、扉１はロック装置６で施錠されており、扉１は鍵を使わない限り開けることができない。これにより、本装置Ｍが第３者によるいたずらなど不正な使用が制限され、本装置Ｍは確実に保護され、本装置Ｍを無断で使用した者が誤ってけがをするといったこともない。
図４、図５は駅ホームＦでの監視台装置Ｍの使用時の状態、すなわち、駅ホームＦの混雑時などの場合で、乗客の車両への安全な乗降などホームＦでの乗客の安全を確認するために、駅係り員が監視台２に乗ってホームＦを監視するときの使用状態を示している。
図４（ａ）、（ｂ）に示すように、本装置Ｍを使用する際は、まず、駅係り員により、ボックスＢの下部開口ｂ０の扉１を開ける。この場合、最初にロック装置６を鍵で解除する。すなわち、シリンダー錠の鍵穴に鍵を差し込み、ロータをロック位置からアンロック位置に回すことにより、止め金の扉１に対する係合が外れ、扉１の開動規制が解除される。続いて、扉１を開ける。このとき、扉１の取っ手１５に手を掛けて、扉１を押し上げれば、わずかな力でも扉１は簡単にせり上がる。扉１をボックスＢの下部開口ｂ０の上に上げて、ボックスＢの下部開口ｂ０を全開すると、扉１はバランサ１６の作用により停止され、また、監視台収納スペースＳ内で扉１上部のマグネット受け１２がアッシーフレーム１０のトッププレート１１４下部のマグネット１１６に吸着されて扉１が上方に保持され、この開口ｂ０の全開状態が保持される。また、この扉１のせり上がりとともに、扉１の左側面の作動プレート５４がインジケータバー５２に衝接し、これを上方に押し上げるので、インジケータバー５２がコイルスプリング５３を伸長させながら上方に移動されて、ボックスＢの正面板ｂ１の開口５０の赤（赤色のシール５２１）が青（青色のシール５２２）に切り替えられて、本装置Ｍが使用時にあることが表示される。これに続いて、監視台収納スペースＳから監視台２を引き出す。この場合、まず支柱３１の取っ手３１１を握って、支柱３１を監視台２の下部で垂直の状態に回動すると同時に、監視台収納スペースＳから監視台２をダンパー装置４の付勢力に抗して（ガスダンパー４１及びオイルダンパー４２の各ピストンロッド４１１、４２１を収縮しながら）回動させて引き出す。そして、図５に示すように、監視台２をその下部で略垂直の状態に立てた支柱３１によりホームＦ上に略水平で所定の高さの監視台引出位置Ｐ２に支持し、これを監視台２と監視台収納スペースＳ内のアンダーフレーム１１５との間に延びるステー３２により保持する。このようにして駅係り員が監視台２に乗って、このホームＦの一段高いところで、ホームＦを広く見渡し、乗客の安全を確認し、危険な状態があれば、必要な指示を行い、乗客の安全を確保する。
そして、駅係り員がホームＦの監視を終え、駅係り員が監視台２から降りると、監視台２はボックスＢ内の監視台収納スペースＳ内に自動的に収納される。この場合、駅係り員が監視台２から降りると、監視台２は、その下部でダンパー装置４の作動、すなわちガスダンパー４１及びオイルダンパー４２の各ピストンロッド４１１、４２１が徐々に延伸し、これらダンパー４１、４２のピストンロッド４１１、４２１の延伸押圧作用により、監視台２が監視台引出位置Ｐ２から監視台収納位置Ｐ１に向けて、安全上許容される範囲のゆっくりとした回動速度で回動され、監視台収納スペースＳ内に戻されて、監視台収納スペースＳ内で左右の各サイドフレーム１１２に設けられた各監視台受け１１７にクッション材１１８を介して保持される（図４参照）。そして、ボックスＢの下部開口ｂ０で扉１を降ろして開口ｂ０を閉めることで監視台２は外部から見えることなく収納される。また、扉１が開口ｂ０に降ろされることで、監視台収納スペースＳ内で扉１の左側面の作動プレート５４によるインジケータバー５２の押圧が解除され、インジケータバー５２がコイルスプリング５３の付勢力により元の位置に引き戻されて、インジケータ５が青から赤に変わり、本装置Ｍが不使用時の状態にあることが表示される。そして、扉１はロック装置６により施錠され、これにより本装置Ｍの第３者による不正使用を防止され安全が確保される（図３参照）。
【００２１】
以上説明したように、この監視台装置Ｍによれば、ホーム安全柵Ｇの戸袋Ｃと一体のボックスＢ内に正面板ｂ１の下部に開口ｂ０を有する監視台収納スペースＳを形成し、ボックスＢの下部開口ｂ０に扉１を開閉可能に配設し、監視台収納スペースＳ内の下部側でホームＦの高さよりも高い位置を回動支点Ｐ０にして、監視台２を監視台収納スペースＳ内で略垂直に起立される監視台収納位置Ｐ１とホームＦ上に略水平に倒伏される監視台引出位置Ｐ２との間で回動可能に取り付け、監視台２を監視台引出位置Ｐ２にストッパー３により固定するようにし、併せて、監視台収納スペースＳの下部と監視台２との間にダンパー装置４を介設して、このダンパー装置４により監視台２を常態として監視台収納スペースＳ内の監視台収納位置Ｐ１に向けて押圧付勢するようにして、ボックスＢの開口ｂ０の扉１を開き、監視台２をホームＦ側に倒して監視台２に監視者が乗ることで、監視台２をホームＦ上で略水平に保持し、また、駅係り員が監視台２から降りることで、監視台２をダンパー装置４により監視台収納スペースＳ内に戻し、開口ｂ０の扉１を閉めることで、監視台２を外部から見えることなく収納するようにしたので、鉄道の駅のホームＦに設置されたホーム安全柵Ｇを利用して、ホームＦから一段高いところに監視台２を設け、その一段高い位置からホームＦを広く見渡して監視することができ、また、監視台２を使用しないときはこれを乗客の通行の邪魔になることなく収納することができる。
【００２２】
また、この監視台装置Ｍでは、さらに次のような利点がある。
（１）扉１を監視台収納スペースＳ内で開口ｂ０の内側にガイド部材１１を介して上下方向にスライド可能に取り付け、監視台収納スペースＳ内に設置したバランサ１６により支持して、上下方向任意のスライド位置で停止可能に構成したので、扉１を軽く開け閉めすることができ、ボックスＢの下部開口を容易に開閉することができる。
したがって、従来の踏み台のように、不使用時はホーム上に置き、ホーム安全柵の設置により狭くなったホーム上で邪魔になるようなことがなく、また、ホームの監視毎に、踏み台を定位置と邪魔にならない場所との間で移動するといったことがなく、このような煩雑で効率の悪い作業をなくすことができる。
（２）監視台２をステンレス鋼により略平板状に形成し、ストッパー３を鋼材からなる略四角形の支柱３１と鋼材からなる一対のステー３２とにより構成したので、監視台２としての剛性、強度を高め、監視台２の繰り返しの使用にも十分に耐えることができ、監視台２として長く使用することができる。
（３）監視台２を監視台収納スペースＳ内に監視台収納スペースＳ内の監視台収納位置Ｐ１と監視台収納スペースＳ外の監視台引出位置Ｐ２との間で回動可能に取り付け、監視台収納スペースＳ内の下部と監視台２との間にガスダンパー４１とオイルダンパー４２とを組み合わせて配置し、監視台引出位置Ｐ２から監視台収納位置Ｐ１まで押圧回動するようにしたので、監視台２をゆっくりと安全に監視台収納スペースＳ内に戻し入れ、確実に収納することができる。
（４）ボックスＢ下部の開口ｂ０の扉１を開ける動作に連動して、本装置Ｍが使用時の状態にあることを表示し、開口ｂ０の扉１を閉める動作に連動して、本装置Ｍが不使用時の状態にあることを表示する形式のインジケータ５を併せて設けたので、特に、不使用時の扉１の閉め忘れを防止することができる。
（５）ボックスＢ下部の開口ｂ０を閉める扉１を施錠するためのシリンダー錠式のロック装置６を併せて備えたので、ボックスＢの下部開口ｂ０を閉じた扉１をロック装置６により施錠することで、本装置Ｍの第３者によるいたずらなどの不正使用を防止し安全を確保することができる。
【００２３】
なお、この実施の形態では、監視台装置Ｍがホーム安全柵Ｇの戸袋Ｃと一体のボックスＢ内に組み込まれて設置されるものとして例示したが、図６に示すように、ホーム安全柵Ｇの戸袋Ｃに連設される戸袋Ｃとは別体のボックス（連絡ボックス）Ｂ１内に組み込まれて、単体として構成されてもよい。この場合、連絡ボックスＢ１内に上記実施の形態と同様に監視台収納スペースＳが画成され、連絡ボックスＢ１の正面板ｂ１に開口ｂ０が形成されて、連絡ボックスＢ１内に監視台装置Ｍが設置される。
ダンパー装置４は、ガスダンパー４１とオイルダンパー４２の組み合わせにより構成されているが、ガスダンパー４１又はオイルダンパー４２で構成されてもよい。
このようにしても上記実施の形態と同様の作用効果を奏することができる。
【符号の説明】
【００２４】
Ｇ  ホーム安全柵
Ｄ  扉
Ｃ  戸袋
Ｂ  ボックス
ｂ０  開口
ｂ１  正面板
Ｆ  ホーム
Ｍ  ホーム安全柵組み込み式監視台装置（監視台装置又は本装置）
Ｓ  監視台収納スペース
Ｓ１  下部スペース
Ｓ２  上部スペース
Ｐ０  回動支点
Ｐ１  監視台収納位置
Ｐ２  監視台引出位置
１ 扉
１０  アッシーフレーム
１１  ガイド部材
１１０  溝形のレール部
１１１  ガイドレール
１１２  サイドフレーム
１１３  スライドレール
１１４  トッププレート
１１５  アンダーフレーム
１１６  マグネット
１１７  監視台受け
１１８  クッション材
１２  マグネット受け
１３  スライドガイド
１４  ワイヤ接続部
１５  取っ手
１６  バランサ
１６１  ワイヤ
１７１、１７２  受け部
１８１、１８２  受け部
２  監視台
２１  ヒンジ
２２  緩衝ブロック
２３１、２３２  受け部
３  ストッパー
３１  支柱
３１１  取っ手
３２  ステー
３３  緩衝ブロック
４  ダンパー装置
４１  ガスダンパー
４１１  ピストンロッド
４２  オイルダンパー
４２１  ピストンロッド
５  インジケータ
５０  開口
５１  インジケータガイド
５２  インジケータバー
５２１  表示部（赤色のシール）
５２２  表示部（青色のシール）
５３  コイルスプリング
５４  作動プレート
５５  係止突起
６  シリンダー錠式のロック装置
６０  取付穴
【図１】
0006624816.tif 000002
【図２】
0006624816.tif 000003
【図３】
0006624816.tif 000004
【図４】
0006624816.tif 000005
【図５】
0006624816.tif 000006
【図６】
0006624816.tif 000007
【図７】
0006624816.tif 000008